(57)【特許請求の範囲】
【請求項１】
離脱防止システムを備えた壁掛け戸棚用吊り型ブラケットと支持体（１７）との組み合わせであって、戸棚（２９）は、歯部（１５）を備えるフック（１１）を介して壁部（１８）に固定された支持体（１７）に掛けられ、前記歯部（１５）は、前記フック（１１）と前記支持体（１７）の間で作用する相互解除可能な調節手段を含み、前記相互解除可能な調節手段は、前記フック（１１）にネジ留めされたネジ（２１）を含み、前記支持体（１７）に接触し、前記ネジ（２１）は、前記フック（１１）の一部として前記フック（１１）に組み込まれる部位（２７）の上に配設されたネジ座面（２６）にネジ留めされ、前記部位（２７）は、前記歯部（１５）に対して対向する、前記ネジ（２１）の先端部（２３）は、前記支持体（１７）から直接的に折り込まれる水平フラップ（１６Ａ）に係合し、前記支持体（１７）の上部は前記壁部（１８）と反対方向に折り曲げられて水平に突出し、その後、垂直に折り曲げられて部位（１６）が形成され、前記部位（１６）の上端は、前記壁部（１８）とは反対方向に折り曲げられて前記水平フラップ（１６Ａ）が形成されている、離脱防止システムを備えた壁掛け戸棚用吊り型ブラケットと支持体との組合せ。
【請求項２】
前記部位（２７）は、前記歯部（１５）に対して対向する、請求項１に記載の壁掛け戸棚用吊り型ブラケットと支持体との組合せ。
【請求項３】
前記支持体（１７）は、前記支持体（１７）の端部に形成される側部エンド・ストップ（１６Ｂ）を含む、請求項１に記載の壁掛け戸棚用吊り型ブラケットと支持体との組合せ。
【請求項４】
前記歯部（１５）は、前記支持体（１７）の対応する部位（１６）に掛けられ、前記部位（１６）は、前記壁部（１８）に対し、前記歯部（１５）が収納されるチャネル（２０）を画定し、前記水平フラップ（１６Ａ）は、前記部位（１６）から折り込まれる、請求項１に記載の壁掛け戸棚用吊り型ブラケットと支持体との組合せ。
【請求項５】
前記支持体（１７）は、前記壁部（１８）に固定された状態で水平に延伸する上部ウィング（ＡＳ）を有し、前記部位（１６）は、前記上部ウィングから垂直に延伸し、前記水平フラップ（１６Ａ）は、前記部位（１６）から折り込まれる、請求項１〜４のいずれかに記載の壁掛け戸棚用吊り型ブラケットと支持体との組合せ。
【請求項６】
前記支持体（１７）は、前記壁部（１８）の設置部分と前記上部ウィング（ＡＳ）と下方ウィング（ＡＩ）から形成されるＣ字形状の部位を有する、請求項１〜５に記載の壁掛け戸棚用吊り型ブラケットと支持体との組合せ。
【請求項７】
前記ネジ（２１）は、前記水平フラップ（１６Ａ）より下、かつ、前記上部ウィング（ＡＳ）より上に位置する前記部位（１６）に載置される、請求項５または６に記載の壁掛け戸棚用吊り型ブラケットと支持体との組合せ。
【請求項８】
各ネジ（１３および１４）によって、箱型本体から突出する前記フック（１１）の突出量を調節する調節メカニズム、および、高さ調節メカニズムを含む、請求項１に記載の壁掛け戸棚用吊り型ブラケットと支持体との組合せ。
【発明の詳細な説明】
【技術分野】
【０００１】
本発明は、壁に固定した支持体に掛ける、一般的に金属棒、または、金属シートを適切な形状にした、完全離脱防止システムを備えた、壁掛け戸棚用可視吊り型ブラケットに関する。
【背景技術】
【０００２】
本分野における当業者には、戸棚を壁部に固定するためのシステムとして、戸棚の裏地（もしあれば）を通して後方に延伸するフックを含む、可視吊り型ブラケット・デバイスを、壁に固定した上記の棒、または、プレートに掛けて使用することが考えられよう。
【０００３】
一般的に２つの調節メカニズムが、それぞれにリード・スクリューを備える前記フックと連動し、吊り型ブラケットの深さ（水平方向）と高さ（垂直方向）を調節する。
【０００４】
このタイプの可視吊り型ブラケットは、例えば、特許文献１および特許文献２で知られており、これらを参照することによって、より明確となり、不可欠な要素であることが理解されよう。
【０００５】
フック掛けされた戸棚に上方向の力が掛かると、支持体がフックから外れて落下し、物的だけではなく、人的にも重大な損害がもたらされることがある。
【０００６】
壁掛け戸棚を、床から比較的低い位置に取り付けることが多くなって来ているので、このようなことが起こる可能性はさらに高くなり、上記の通り、特に子供を原因とする偶発的な離脱が発生するリスクが増大する。
【０００７】
さらに、多くの国で、安全規定が発効され、あるいは、発効予定であり、壁掛け戸棚の離脱防止システムは安全性に対する規制を受ける。
【０００８】
特許文献３は、上記の問題に対し、非常に優れた解決策を示し、壁掛け戸棚に掛かる上方向の力による、壁掛け戸棚の支持体からの偶発的な離脱を避ける。
【０００９】
特許文献３では、戸棚が、吊り型ブラケット・デバイスのフックによって、壁に固定され、前記フックと前記支持体の間に相互解除可能な調節手段を有する、壁掛け戸棚用の離脱防止システムが提案されているが、特許文献３を参照することによって、内容がより明確となり、不可欠な要素であることが理解されよう。
【００１０】
さらに、戸棚のショルダー部の水平方向の力（上方向に向かう垂直な力と合体することがある）による、壁掛け戸棚の支持体からの偶発的な離脱を防ぐことが、強く所望される。
【００１１】
特許文献４は、上記の問題に対し、非常に優れた解決策を示し、壁掛け戸棚のショルダー部に掛かる水平方向の力（上方向に向かう垂直な力と合体することがある）による、壁掛け戸棚の支持体からの偶発的な離脱を避ける。
【００１２】
特許文献４では、戸棚が、吊り型ブラケット・デバイスのフックによって、壁に固定された支持体に掛けられる、壁掛け戸棚用の離脱防止システムが提案されているが、特許文献４を参照することによって、内容がより明確となり、不可欠な要素であることが理解されよう。このタイプの前記離脱防止システムは、前記フックと前記支持体の間に相互解除可能な調節手段を有する。前記相互解除可能調節手段は、前記フックにネジ留めされたビードを含み、前記支持体に接触するのに適しており、このシステムでは、前記側部ブロック（ストップ）要素が、前記ビードと連動し、前記戸棚に掛かる水平方向の力により生じる前記ビードの側面方向の動作を抑制する。
【００１３】
特許文献３および特許文献４の知見に基づいて作製された可視吊り型ブラケットは、非常に好適な結果を示すが、本発明の目的は、容易に組み立てることができ、戸棚の壁部への取付けが複雑ではない、離脱防止システムを備えた可視吊り型ブラケットを提供することである。
【先行技術文献】
【特許文献】
【００１４】
【特許文献１】欧州特許第００３３１７９号明細書
【特許文献２】欧州特許出願公開第０６３２９７９号明細書
【特許文献３】欧州特許出願第２０１００７０８１４７号明細書
【特許文献４】欧州特許出願第２０１４０１６４７３０号明細書
【発明の概要】
【発明が解決しようとする課題】
【００１５】
戸棚の壁への取り付けは、ネジ留めの際に、離脱防止システムのビードが、壁部（棒、またはプレート）に固定された支持体の固定用ダボ（ネジ）の頭部に接触することによって複雑になることがある。この場合、離脱防止システムは、ビードが壁部に固定された棒（プレート）と正確に連動できず、稼働しない。
【００１６】
したがって、本発明のさらなる目的は、そのようなことが発生しないようにすることである。
【００１７】
本発明の別の目的は、簡単に解除できる、離脱防止システムを備えた可視吊り型ブラケット、つまり、必要に応じて、戸棚を壁部から簡単かつ素早く取り外しできる可視吊り型ブラケットを提供することである。
【課題を解決するための手段】
【００１８】
上記の目的は、本発明の特許請求の範囲（独立請求項および従属請求項）に記載の、完全離脱防止システムを備えた可視吊り型ブラケットにより達成される。
【００１９】
本明細書に記載された、本発明の構造および機能性、並びに従来技術に対する利点の説明は、本発明の新奇な原理に基づいて作製された離脱防止システムを備えた壁掛け戸棚用可視吊り型ブラケットの実施形態を示す、本明細書の図面を参照することにより容易に理解されよう。
【図面の簡単な説明】
【００２０】
【図１】戸棚を、壁部に固定された支持棒にフックを介して掛けた状態の、本発明に基づく離脱防止システムを備えた、可視吊り型ブラケットの斜視図である。
【図２】図１の戸棚の平面断面の詳細図である。
【図３】図１の戸棚の垂直断面の詳細図である。
【図４】離脱防止システムが未稼働な状態にある、壁部に固定された棒に掛けられた吊り型ブラケットを示す、図１に類似した斜視図である。
【図５】図４の戸棚の平面断面の詳細図である。
【図６】図４の戸棚の垂直断面の詳細図である。
【図７】戸棚の壁部に対する稼働ブロック位置における離脱防止システムを示す図４に類似した図である。
【図８】戸棚の壁部に対する稼働ブロック位置における離脱防止システムを示す図５に類似した図である。
【図９】戸棚の壁部に対する稼働ブロック位置における離脱防止システムを示す図６に類似した図である。
【図１０】ブロック・ネジが、戸棚が掛けられているプレート自体の壁部への固定ネジ（ダボ）の頭部に接触するため、ブロック・ネジは使用不可能になっている（支持プレートと連動）、従来技術に基づく、離脱防止システムの垂直断面図である。
【発明を実施するための形態】
【００２１】
本発明をより深く理解するために参照される図１〜３では、例えば、特許文献１および特許文献２に記述された一般的に知られているタイプの可視吊り型ブラケットの全体を１０として示し、既知のタイプの吊り型ブラケットとして、本実施形態に限定されないが、本発明において不可欠な要素であることを理解されたい。
【００２２】
吊り型ブラケット１０は、箱型本体１２から延伸する可動フック１１を含む。
【００２３】
フック１１の深さ（水平方向）、および、高さ（垂直方向）位置の調節メカニズム（既知）は、各ネジ１３または１４を介して、箱型本体１２内に収納される。
【００２４】
フック１１の前部は、ダボ１９を介して壁部１８に固定された金属棒１７の対応部位１６に掛けられる歯部１５で終端する。
【００２５】
図から分かるように、棒１７の対応部位１６は、壁部１８にチャネル２０を画定し、そこに歯部１５が収容される。一実施形態として、棒１７は、Ｃ字形状の部位を有し、その上方ウィングＡＳから、上記の部位１６が垂直方向に延伸することが好ましい。しかし、棒１７は、図示したＣ字形状の部位や他の部位とは違う部位を有していてもよく、例えば、その部位には、Ｃ字形状の下方ウィングＡＩがなくてもよい。
【００２６】
本発明による離脱防止システムは、フック１１の歯部１５、および、棒１７と連動し、図示した実施形態では、ネジ切り部２２と、先端部２３と、例えばネジ回し２５等の操作ツール用の形成済みヘッド２４とを備えた、ネジ２１を有する。
【００２７】
前記ネジ２１は、フック１１の一部でありフック１１に組み込まれた部位２７に形成されたネジ座面２６にネジ留めされる。部位２７は、実質的に、「ｑ」と同じ高さで、歯部１５と実質的に対向する（完全には重ならない）。
【００２８】
つまり、ネジ２１は、フック１１自体の引っ掛け部位を少なくとも部分的に越え、前記フック部位２７（内部に座面２６を備える）は実質的に、歯部１５に対向するので、それ自体にフック形状を形成し、フック領域が部分的に区画され、稼働状態になると、その内部に支持体１７の一部が挿入されることが、図を参照することによって明確に理解されよう。
【００２９】
本発明に基づいて、ネジ２１の先端部２３（終端部）は、水平フラップ（エッジ）１６Ａに係合され、棒１７の部位１６から直接的に折り込まれる。
【００３０】
このようにして、追加の作業なしで、側面エンド・ストップ１６Ｂが自動的に形成され、壁掛け戸棚が水平方向に動くと、それに対向して、フック１５が干渉され、ブロックされる。
【００３１】
その結果、本発明に基づく離脱防止システムは、フック１１、および、棒１７を作製するのに、高額な追加の作業コストを掛けることがなく、材料を無駄にすることもない。
【００３２】
上記に基づいて作製され、図番２９に部分的に示す吊り型ブラケット・デバイス１０は、壁掛け戸棚に固定され、ショルダー部３０および上部３１を含み、裏地３２を含んでもよい。より具体的には、２つの前記吊り型ブラケット１０（一方のみを図示）は、前記戸棚２９の上部後方隅（左側と右側）の対応する位置に固定される。
【００３３】
本発明に基づく離脱防止システムの機能性を動作順に図１〜９に明確に示し、以下に要約する。
【００３４】
戸棚は、非稼働退避位置のネジ２１を使用して（図１〜６）フック１１の歯部１５をチャネル２０（図４〜６）に差し込むことによって、壁部１８に掛けられる。このように、戸棚２９の自重によって、歯部１５は、棒１７（図４〜６）の部位１６に係合する。
【００３５】
戸棚２９をこのように配置し、ネジ回し２５を使用してネジ２１を稼動前方位置にネジ留めすることにより（図７〜９）、先端部（終端部）２３を、棒１７の水平フラップ１６Ａによって形成されるアンダーカット部に係合させる。
【００３６】
一度、システムを稼働させると、ネジ２１は典型的に、前記フラップ１６Ａの下部に位置する平面部Ｐに載置され、実質的に前記ウィングＡＳの上部に位置する（図９）。
【００３７】
このように、戸棚２９に上方向の力が偶発的に加わっても、ネジ２１とフラップ１６Ａが接触することにより、歯部１５が、棒１７の部位１６から離脱することを防止できることが明らかになる。
【００３８】
さらに、偶発的に横方向の力に晒された場合、歯部１５が、棒１７のチャネル２０から離脱して戸棚を落下させることが考えられるが、中間に歯部１５を備える側部ブロック・ストップ１６Ｂが存在することにより、戸棚２９の落下が防がれる。
【００３９】
それに対し、必要に応じて、単にネジ２１を外すことにより、所望通り、棒１７の部位１６から歯部１５を離脱させて、非稼働退避位置に戻すことができる（図１〜６）。
【００４０】
したがって、前記の本発明の目的が達成され、特に、ネジ留めの際に、離脱防止システムのビード（ネジ）２１が、壁部（棒、またはプレート）上の支持体１７の固定用ダボ（ネジ）１９の頭部に接触することを防ぎ、これによって、ビード２１の終端部が、「Ｃ」形状の上部ウィングＡＳにより画定される支持体１７のアンダーカット部に係合しなくなることが防がれ、離脱防止システムの機能停止を避ける、非常に重要な目的が達成される（図１０）。この点において、吊り型ブラケットを、負荷抵抗という明らかな理由のため、壁部への支持体の固定ダボ（ネジ）１９の上に掛ける必要があることに留意されたい。この欠点は、例えば、特許文献４の従来技術に基づく離脱防止システムに発生し得る。
【００４１】
本発明の別の目的として、前記隠し吊り型ブラケットと上記支持体の組み合わせがある。
【００４２】
本発明により保護される範囲は、特許請求の範囲により規定される。
【図１】
0006770439.tif 000002
【図２】
0006770439.tif 000003
【図３】
0006770439.tif 000004
【図４】
0006770439.tif 000005
【図５】
0006770439.tif 000006
【図６】
0006770439.tif 000007
【図７】
0006770439.tif 000008
【図８】
0006770439.tif 000009
【図９】
0006770439.tif 000010
【図１０】
0006770439.tif 000011